(57)【要約】【課題】  空気調和機の健康除湿運転方法を提供する。【解決手段】  本発明による空気調和機の健康除湿運転方法は、子供とお年寄りなどのために空気調和機による室内除湿運転の際、設定湿度と室内湿度との湿度差に基づいて圧縮機の周波数を決めるステップと、設定温度と室内温度との温度差に基づき、室外ファンの駆動アルゴリズムを通じて室外ファンの回転数を調節するステップとからなることを特徴とする。【選択図】      図２
2004233045.tif 000002
【特許請求の範囲】
【請求項１】
空気調和機による室内の除湿運転の際、
（ａ）空気調和機に取り付けられた室内湿度の検知センサにより室内の湿度を検知し、前記室内湿度とコントローラにより設定される設定湿度とを比較して該湿度差を求めるステップと、
（ｂ）室内熱交換部の室内ファンを弱風で駆動するように設定する室内ファンの駆動設定ステップと、
（ｃ）前記（ａ）ステップで求められた室内湿度と設定湿度との湿度差に基づき、空気調和機の圧縮機の駆動アルゴリズムによって圧縮機の周波数を設定する圧縮機の周波数設定ステップと、
（ｄ）空気調和機に取り付けられた室内温度の検知センサにより室内温度を検知し、前記検知された室内温度を所定の温度に保持できるようにするために、室外ファンの駆動アルゴリズムによって室外ファンの回転速度を設定する室外ファンの速度設定ステップと、
（ｅ）前記（ｂ）乃至（ｄ）ステップで設定された回転速度及び周波数で室内ファン及び室外ファンと圧縮機とを駆動し、ユーザが快適な室内環境を感じられるように快適領域の状態の室内除湿と室内定温を継続して保持できるようにする室内ファン、室外ファン及び圧縮機の駆動ステップと、
とを含むことを特徴とする空気調和機の健康除湿運転方法。
【請求項２】
前記快適領域の状態の室内除湿と室内定温を継続して保持できるように、室内の湿度が所定の快適範囲になる目標値に達したか否か及び室内が所定の定温を保持しているか否かを継続して判断し、室内の湿度が前記目標値に達し、かつ室内が所定の定温になるまで前記（ａ）乃至（ｅ）ステップを繰り返して行うフィードバック制御ステップを更に含むことを特徴とする請求項１に記載の空気調和機の健康除湿運転方法。
【請求項３】
前記圧縮機の駆動アルゴリズムは、
空気調和機に取り付けられた室内湿度の検知センサにより室内湿度を検知し、前記室内湿度とコントローラにより設定される設定湿度とを比較して該室内湿度と設定湿度との湿度差を求めるステップと、
前記湿度差を求めるステップによる室内湿度と設定湿度との湿度差と空気調和機に設定された湿度差とを相互に比較して、前記室内湿度と設定湿度との湿度差が前記空気調和機に設定された湿度差のどの範囲にあるかを判断する相互比較判断ステップと、
前記相互比較判断ステップで比較判断された湿度差（設定湿度-室内湿度）に相応する圧縮機の周波数を設定するステップと、
を含むことを特徴とする請求項１に記載の空気調和機の健康除湿運転方法。
【請求項４】
前記圧縮機の駆動アルゴリズムは、
前記室内湿度と設定湿度との湿度差が−６％以下である時、前記圧縮機の周波数を０（ＯＦＦ）に設定し、前記室内湿度と設定湿度との湿度差が−５％以上〜１４％以下の範囲に属する場合は、圧縮機の最小の周波数（Ｆ  ｍｉｎ）に設定し、前記室内湿度と設定湿度との湿度差が１５％以上〜２４％以下の範囲に属する場合は、圧縮機の前記最小の周波数（Ｆ  ｍｉｎ）より１段階上がった圧縮機の第１の周波数（Ｆ  ｍｉｎ＋１）に設定し、前記室内湿度と設定湿度との湿度差が２５％以上の範囲に属する場合は、圧縮機の前記第１の周波数（Ｆ  ｍｉｎ＋１）より１段階上がった圧縮機の第２の周波数（Ｆ  ｍｉｎ＋２）に設定することを特徴とする請求項１に記載の空気調和機の健康除湿運転方法。
【請求項５】
前記室外ファンの駆動アルゴリズムは、
前記圧縮機の駆動アルゴリズムによって可変制御された圧縮機の周波数が予め定められた周波数の設定値のどれに該当し、前記空気調和機に取り付けられた室内湿度の検知センサにより検知された室内湿度が予め定められた湿度差段階のどの範囲にあるか、を前記の周波数及び室内湿度のそれぞれについて相互に比較して判断する相互比較判断ステップと、
前記比較判断ステップで比較判断された前記可変制御された圧縮機の周波数を用いて快適な領域の室内除湿が行われるように前記可変制御された圧縮機の周波数に比例して相応する室外ファンの回転速度を設定するステップと、
を含むことを特徴とする請求項１に記載の空気調和機の健康除湿運転方法。
【請求項６】
前記室外ファンの駆動アルゴリズムは、
室内湿度が７５％以上で、前記設定された圧縮機の周波数がＦ１であるとき、室外ファンの回転数を１００％とすることを基準にし、
前記室内湿度が７５％以上であるとき、前記圧縮機の周波数がＦ２であると、室外ファンの回転数は９８％であり、前記圧縮機の周波数がＦ３であると、室外ファンの回転数は９６％であり、前記圧縮機の周波数がＦ４であると、室外ファンの回転数は９２％であり、前記圧縮機の周波数がＦ５であると、室外ファンの回転数は８６％であり、
前記室内湿度が６５％以上〜７４％以下であるとき、前記圧縮機の周波数がＦ１であると、前記室外ファンの回転数は８５％であり、前記圧縮機の周波数がＦ２であると、前記室外ファンの回転数は８６％であり、前記圧縮機の周波数がＦ３であると、前記室外ファンの回転数は９０％であり、前記圧縮機の周波数がＦ４であると、前記室外ファンの回転数は８５％であり、前記圧縮機の周波数がＦ５であると、前記室外ファンの回転数は８０％であり、
前記室内湿度が５５％以上 〜６４％以下であるとき、前記圧縮機の周波数がＦ１であると、前記室外ファンの回転数は７０％であり、前記圧縮機の周波数がＦ２であると、前記室外ファンの回転数は７６％であり、前記圧縮機の周波数がＦ３であると、前記室外ファンの回転数は８１％であり、前記圧縮機の周波数がＦ４であると、前記室外ファンの回転数は７８％であり、前記圧縮機の周波数がＦ５であると、前記室外ファンの回転数は７５％であり、
前記室内湿度が４５％以上 〜５４％以下であるとき、前記圧縮機の周波数がＦ１であると、前記室外ファンの回転数は５４％であり、前記圧縮機の周波数がＦ２であると、前記室外ファンの回転数は６３％であり、前記圧縮機の周波数がＦ３であると、前記室外ファンの回転数は７１％であり、前記圧縮機の周波数がＦ４であると、前記室外ファンの回転数は７１％であり、前記圧縮機の周波数がＦ５であると、前記室外ファンの回転数は７０％であり、
前記室内湿度が４４％以下であるとき、前記圧縮機の周波数がＦ１であると、前記室外ファンの回転数は３９％であり、前記圧縮機の周波数がＦ２であると、前記室外ファンの回転数は５１％であり、前記圧縮機の周波数がＦ３であると、前記室外ファンの回転数は６３％であり、前記圧縮機の周波数がＦ４であると、前記室外ファンの回転数は６３％であり、前記圧縮機の周波数がＦ５であると、前記室外ファンの回転数は６３％であって、
前記圧縮機の各々の湿度差段階と周波数に対して相応する別々の室外ファンの回転数が設定されることを特徴とする請求項１に記載の空気調和機の健康除湿運転方法。
【請求項７】
子供とお年寄りなどのための空気調和機による室内の除湿運転の際、
設定湿度と室内湿度との湿度差に基づき、圧縮機の駆動アルゴリズムによって圧縮機の周波数を決めるステップと、
設定温度と室内温度との温度差に基づき、室外ファンの駆動アルゴリズムによって室外ファンの回転数を調節するステップと、
を含むことを特徴とする空気調和機の健康除湿運転方法。
【請求項８】
快適領域の状態の室内除湿と室内定温を継続して保持できるように、室内の湿度が快適範囲になる所定の目標値に達したか否か及び室内が所定の定温を保持しているか否かを継続して判断し、室内の湿度が前記目標値に達し、かつ室内が前記所定の定温になるまで前記圧縮機の周波数決定ステップ及び室外ファンの回転数を調節するステップを繰り返して行うフィードバック制御ステップを更に含むことを特徴とする請求項７に記載の空気調和機の健康除湿運転方法。
【請求項９】
前記圧縮機の駆動アルゴリズムは、
空気調和機に取り付けられた室内湿度の検知センサにより室内湿度を検知し、前記室内湿度とコントローラにより設定される設定湿度とを比較して該室内湿度と設定湿度との湿度差を求めるステップと、
前記湿度差を求めるステップによる室内湿度と設定湿度との湿度差と前記空気調和機に設定された湿度差とを相互に比較して、前記室内湿度と設定湿度との湿度差が前記空気調和機に設定された湿度差のどの範囲にあるかを判断する相互比較判断ステップと、
前記湿度差の相互比較判断ステップで比較判断された湿度差（設定湿度-室内湿度）に相応する圧縮機の周波数を設定するステップと、
を含むことを特徴とする請求項７に記載の空気調和機の健康除湿運転方法。
【請求項１０】
前記圧縮機の駆動アルゴリズムは、
前記室内湿度と設定湿度との湿度差が−６％以下であるとき、前記圧縮機の周波数を０（ＯＦＦ）に設定し、前記室内湿度と設定湿度との湿度差が−５％以上〜１４％以下の範囲に属する場合は、圧縮機の最小の周波数（Ｆ  ｍｉｎ）に設定し、前記室内湿度と設定湿度との湿度差が１５％以上〜２４％以下の範囲に属する場合は、圧縮機の前記最小の周波数（Ｆ  ｍｉｎ）より１段階上がった圧縮機の第１の周波数（Ｆ  ｍｉｎ＋１）に設定し、前記室内湿度と設定湿度との湿度差が２５％以上の範囲に属する場合は、圧縮機の前記第１の周波数（Ｆ  ｍｉｎ＋１）より１段階上がった圧縮機の第２の周波数（Ｆ  ｍｉｎ＋２）に設定することを特徴とする請求項７に記載の空気調和機の健康除湿運転方法。
【請求項１１】
前記室外ファンの駆動アルゴリズムは、
前記圧縮機の駆動アルゴリズムによって可変制御された圧縮機の周波数が予め定められた周波数設定値のどれに該当し、前記空気調和機に取り付けられた室内湿度の検知センサにより検知された室内湿度が予め定められた湿度差段階のどの範囲にあるか、を前記の周波数及び室内湿度のそれぞれについて相互に比較して判断する相互比較判断ステップと、
前記相互比較判断ステップで比較判断された前記可変制御された圧縮機の周波数を用いて快適な領域の室内除湿が行われるように前記可変制御された圧縮機の周波数に比例して相応する室外ファンの回転速度を設定するステップと、
を含むことを特徴とする請求項７に記載の空気調和機の健康除湿運転方法。
【請求項１２】
前記室外ファンの駆動アルゴリズムは、
前記室内湿度が７５％以上で、前記設定された圧縮機の周波数がＦ１であるとき、室外ファンの回転数を１００％とすることを基準にし、
前記室内湿度が７５％以上であるとき、前記圧縮機の周波数がＦ２であると、室外ファンの回転数は９８％であり、前記圧縮機の周波数がＦ３であると、室外ファンの回転数は９６％であり、前記圧縮機の周波数がＦ４であると、室外ファンの回転数は９２％であり、前記圧縮機の周波数がＦ５であると、室外ファンの回転数は８６％であり、
前記室内湿度が６５％以上〜７４％以下であるとき、前記圧縮機の周波数がＦ１であると、前記室外ファンの回転数は８５％であり、前記圧縮機の周波数がＦ２であると、前記室外ファンの回転数は８６％であり、前記圧縮機の周波数がＦ３であると、前記室外ファンの回転数は９０％であり、前記圧縮機の周波数がＦ４であると、前記室外ファンの回転数は８５％であり、前記圧縮機の周波数がＦ５であると、前記室外ファンの回転数は８０％であり、
前記室内湿度が５５％以上 〜６４％以下であるとき、前記圧縮機の周波数がＦ１であると、前記室外ファンの回転数は７０％であり、前記圧縮機の周波数がＦ２であると、前記室外ファンの回転数は７６％であり、前記圧縮機の周波数がＦ３であると、前記室外ファンの回転数は８１％であり、前記圧縮機の周波数がＦ４であると、前記室外ファンの回転数は７８％であり、前記圧縮機の周波数がＦ５であると、前記室外ファンの回転数は７５％であり、
前記室内湿度が４５％以上 〜５４％以下であるとき、前記圧縮機の周波数がＦ１であると、前記室外ファンの回転数は５４％であり、前記圧縮機の周波数がＦ２であると、前記室外ファンの回転数は６３％であり、前記圧縮機の周波数がＦ３であると、前記室外ファンの回転数は７１％であり、前記圧縮機の周波数がＦ４であると、前記室外ファンの回転数は７１％であり、前記圧縮機の周波数がＦ５であると、前記室外ファンの回転数は７０％であり、
前記室内湿度が４４％以下であるとき、前記圧縮機の周波数がＦ１であると、前記室外ファンの回転数は３９％であり、前記圧縮機の周波数がＦ２であると、前記室外ファンの回転数は５１％であり、前記圧縮機の周波数がＦ３であると、前記室外ファンの回転数は６３％であり、前記圧縮機の周波数がＦ４であると、前記室外ファンの回転数は６３％であり、前記圧縮機の周波数がＦ５であると、前記室外ファンの回転数は６３％であって、
前記圧縮機の各々の湿度差段階と周波数に対して相応する別々の室外ファンの回転数が設定されることを特徴とする請求項７に記載の空気調和機の健康除湿運転方法。
【請求項１３】
室内ファンの回転速度は、健康除湿を選択し動作させる初期から健康除湿運転が持続する間、‘弱風’を保持し続けることを特徴とする請求項７に記載の空気調和機の健康除湿運転方法。
【発明の詳細な説明】
【技術分野】
【０００１】
本発明は、空気調和機の除湿運転方法に関し、特に、子供とお年寄りなどのために空気調和機による室内除湿運転の際、設定湿度と室内湿度との湿度差に基づいて圧縮機の周波数を決め、定温性を保持するために室外ファンの回転数を調節することにより定温除湿による生理的適応が容易となり、お年寄りなどのユーザが健康を害することなく除湿運転ができるようにする空気調和機の健康除湿運転方法に関する。
【背景技術】
【０００２】
一般に、除湿機能付き空気調和機は、室内に位置する室内熱交換部に凝縮器の役割を果たす熱交換器と蒸発器の役割を果たす熱交換器をそれぞれ配置して湿気の除去に重点をおいた装置である。
図１は、従来の空気調和機１を概略的に示す構造図である。
同図に示すように、従来の除湿機能付き空気調和機１は、冷媒が圧縮される圧縮部１０と、この冷媒と室外空気との熱交換が行われるように熱交換器２１とファン２２が具備されている室外熱交換部２０と、第１の熱交換器３１、第２の熱交換器３２、及びこれらの第１の熱交換器３１と第２の熱交換器３２との間に位置する室内膨張部３３、３４が具備されている室内熱交換部３０と、室外熱交換部２０と室内熱交換部３０との間に位置する膨張部４０と、からなっている。
【０００３】
より詳しく説明すると、圧縮部１０は、室外熱交換部２０または室内熱交換部３０から出力された低温低圧の気体冷媒を高温高圧の気体冷媒に変換する圧縮機１１と、圧縮機１１の吐き出し方向を設定する四方弁１２と、を具備している。
ここで、四方弁１２は、圧縮機１１の吸い込み及び吐き出し配管を切り換えることで室内を冷却しようとする場合は、室内熱交換部３０を蒸発器として動作させ、室内を暖房しようとする場合は、室内熱交換部３０を凝縮器として動作させる。
勿論、これに対応して室外熱交換部２０は、それぞれ凝縮器、蒸発器として動作する。
なお、除湿機の用途として使用する場合が本説明の主な対象であるため、以下では、室外熱交換部２０は凝縮器として、室内熱交換部３０は蒸発器として動作すると仮定する。
【０００４】
室外熱交換部２０は、圧縮機１０で生成された高温高圧の気体冷媒を中温高圧の液体冷媒に変換する手段であって、このために、凝縮器２１とファン２２を具備している。
膨張部４０は、室外熱交換部２０から出力される中温高圧の液体冷媒を低温低圧の液体冷媒に変換する手段であって、毛細管４１からなっており、これと並列に第１の弁４２を設け、第１の弁４２により冷媒の毛細管４１の通過可否が決まる仕組みとなっている。このように、毛細管４１の通過可否を制御することは、除湿機として使用する場合、膨張部４０で膨張プロセスが行われてはならないため、この場合は、第１の弁４２を開状態にして冷媒が第１の弁４２を通るようにして膨張プロセスが行われないようにする。
【０００５】
このように膨張プロセスを経由しないで中温高圧状態である冷媒がそのまま室内熱交換部３０に流れ込み、室内熱交換部３０は、第１の熱交換器３１と、第２の熱交換器３２及びそれらの間に設けられる室内膨張部３３、３４とからなっており、第１の熱交換器３１で凝縮作用がもう一回行われ、室内膨張部の室内膨張器３３で膨張プロセスが行われる。
このような膨張プロセスにより、上記の中温高圧の液体冷媒は、低温低圧の液体冷媒に変換され、第２の熱交換器３２で周りの熱を吸収し蒸発することで低温低圧の気体冷媒に変換された後、再び圧縮部１０に流れ込まれる。
なお、除湿機ではない冷房機器として動作するとすれば、膨張部４０で膨張プロセスが行われ、第１の熱交換器３１も第２の熱交換器３２と同様に蒸発器として動作するようになる。勿論、この際は、室内膨張部の第２の弁３４を開状態にし、室内膨張器３３が動作しないようにする必要がある。
【０００６】
このような構成を有する従来の除湿機能付き空気調和機１の動作を簡略に説明すると、次のとおりである。
第２の熱交換器３２では、冷媒の蒸発により温度が下がることにより周りの水分が結露し、このようにして結露した水分を外部に排水することにより除湿が行われる。勿論、このプロセスで室内の温度も下り、これを抑えるために第１の熱交換器３１を凝縮器として動作するようにし、温度のバランスがとれるようにしている。
しかし、このような従来の技術による空気調和機は、設定湿度と室内湿度との湿度差と室外の負荷に応じて迅速に除湿運転を実行することにより、生理的に環境への適応能力が劣る子供やお年寄りなどの場合は、除湿運転によりかえって健康を害するという大きな問題点がある。
【発明の開示】
【発明が解決しようとする課題】
【０００７】
本発明は、従来の空気調和機に関する上記問題点に鑑みてなされたものであり、その目的は、空気調和機による室内除湿運転の際、室内機の室内ファンの回転数を弱風にし、設定湿度と室内湿度との湿度差に基づいて圧縮機の周波数を決め、定温性を保持するために室外ファンの回転数を調節することにより、前記圧縮機及び室外ファンの運転を最適化し、定温除湿による生理的適応が容易となり、お年寄りなどのユーザが健康を害することなく除湿運転ができるようにする空気調和機の健康除湿運転方法を提供することである。
【課題を解決するための手段】
【０００８】
上記の目的を達成するための本発明に係る空気調和機の健康除湿運転方法は、空気調和機による室内の除湿運転の際に、
（ａ）空気調和機に取り付けられた室内湿度の検知センサにより室内の湿度を検知し、前記室内湿度と設定湿度（リモコン等のコントローラにより設定される湿度）とを比較して該室内湿度と設定湿度との湿度差を求めるステップと、
（ｂ）室内熱交換部の室内ファンを弱風で駆動するように設定する室内ファンの駆動設定ステップと、
（ｃ）前記（ａ）ステップで求められた室内湿度と設定湿度との湿度差に基づき、圧縮機の駆動アルゴリズムによって圧縮機の周波数を設定する圧縮機の周波数設定ステップと、
（ｄ）空気調和機に取り付けられた室内温度の検知センサにより室内温度を検知し、前記検知された室内温度を所定の温度に保持できるようにするために、室外ファンの駆動アルゴリズムによって室外ファンの回転速度を設定する室外ファンの速度設定ステップと、
（ｅ）前記（ｂ）乃至（ｄ）ステップで設定された回転速度及び周波数で室内ファン及び室外ファンと圧縮機とをそれぞれ駆動し、ユーザが快適な室内環境を感じられるように快適領域の状態の室内除湿と室内定温を継続して保持できるようにする室内ファン、室外ファン及び圧縮機の駆動ステップと、からなることを特徴とする。
また、前記快適領域の状態の室内除湿と室内定温を継続して保持できるように、室内の湿度が快適範囲にあるか否か及び室内が定温を保持しているか否かを継続して判断し、これを満たすまで前記（ａ）乃至（ｅ）ステップを繰り返して行うフィードバック制御ステップを更に含むことを特徴とする。
【発明の効果】
【０００９】
以上で説明した構成により、本発明に係る空気調和機１の健康除湿運転方法は、空気調和機１における室外の負荷に対応して圧縮機、室内ファン及び室外ファンの運転を最適化するという効果を奏する。
また、定温除湿により生理的適応が容易になるため、お年寄りなどのユーザが健康を害することなく除湿運転を行なうことができるという効果を奏する。
【発明を実施するための最良の形態】
【００１０】
以下、添付した図面を参照して、本発明に係る空気調和機の健康除湿運転方法をより詳しく説明すると、次のとおりである。
図２は、本発明に係る空気調和機の健康除湿運転方法を示すフローチャートである。
本発明に係る空気調和機の健康除湿運転方法は、空気調和機による室内の除湿運転の際に、
（ａ）空気調和機に取り付けられた室内湿度の検知センサにより室内の湿度を検知し、前記室内湿度と設定湿度（リモコン等のコントローラにより設定される湿度）とを比較して該室内湿度と設定湿度との湿度差を求めるステップと、
（ｂ）室内熱交換部の室内ファンを弱風で駆動するように設定する室内ファンの駆動設定ステップと、
（ｃ）前記（ａ）ステップで求められた室内湿度と設定湿度との湿度差に基づき、圧縮機の駆動アルゴリズムによって圧縮機の周波数を設定する圧縮機の周波数設定ステップと、
（ｄ）空気調和機に取り付けられた室内温度の検知センサにより室内温度を検知し、前記検知された室内温度を所定の温度に保持できるようにするために、室外ファンの駆動アルゴリズムによって室外ファンの回転速度を設定する室外ファンの速度設定ステップと、
（ｅ）前記（ｂ）乃至（ｄ）ステップで設定された回転速度及び周波数で室内ファン及び室外ファンと圧縮機とをそれぞれ駆動し、ユーザが快適な室内環境を感じられるように快適領域の状態の室内除湿と室内定温を継続して保持できるようにする室内ファン、室外ファン及び圧縮機の駆動ステップと、からなることを特徴とする。
また、前記快適領域の状態の室内除湿と室内定温を継続して保持できるように、室内の湿度が快適範囲にあるか否か及び室内が定温を保持しているか否かを継続して判断し、これを満たすまで前記（ａ）乃至（ｅ）ステップを繰り返して行うフィードバック制御ステップを更に含むことを特徴とする。
【００１１】
図２に示すように、まず、空気調和機１による室内の除湿作用の際、空気調和機１に取り付けられた室内湿度の検知センサにより室内湿度を検知し、この室内湿度と設定湿度（リモコン等のコントローラにより設定される湿度）とを比較してその湿度差を求める（Ｓ２０１）。
また、室内熱交換部３０の室内ファン３５を弱風で駆動するように設定する（Ｓ２０２）。
次いで、Ｓ２０１で求められた室内湿度と設定湿度との湿度差に基づき、圧縮機の駆動アルゴリズムによって圧縮機１１の周波数を設定する除湿性判断のサブルーチン処理を行なう（Ｓ２０３）。
【００１２】
また、圧縮機の周波数の設定後、定温性のサブルーチン処理に基づき、室外ファン２２の回転数を決める（Ｓ２０４）。
上記のステップＳ２０２乃至ステップＳ２０４でそれぞれ圧縮機１１の周波数、室内ファン３５及び室外ファン２２の回転速度を設定した後、これらの設定した値に基づき、圧縮機１１、室内ファン３５及び室外ファン２２を駆動し、ユーザが快適な室内環境を感じられるように快適領域の状態の室内除湿と室内定温を継続して保持できるようにするのみならず、定温除湿によって生理的適応が容易になるようにする（Ｓ２０５）。
次いで、温度が定温性を保持しているか否かを判断し（Ｓ２０６）、温度が定温性を保持していると判断する場合は、湿度が目標値に達しているか否かを判断するステップ（Ｓ２０７）に進む。
しかし、定温性を保持していないと判断する場合は、温度が定温性を保持するまでステップＳ２０１乃至Ｓ２０５を繰り返して行なうようになる。
また、湿度が目標値に達しているか否かを判断し（Ｓ２０７）、目標値に達していないと判断する場合は、目標とした湿度に達するまで再びステップＳ２０１乃至Ｓ２０５を繰り返して行なうようになる。
【００１３】
このように、室内定温性及び室内除湿が目標値に達するように、室外ファン及び圧縮機を駆動するのみならず、フィードバックシステムにより室内定温性及び室内除湿の目標値に対する事後の監視を行い、これをいずれも満たす時に本発明に係る空気調和機の健康除湿運転方法を終了する。
また、室内ファン３５の回転速度は、健康除湿を選択し動作させる初期から健康除湿運転が持続する間‘弱風’を保持し続けるようにする。
上記のように除湿運転過程で室内温度の定温性が維持されるようにするのが本願発明の特徴であり、このために、図３に示すように、室内湿度と設定湿度との湿度差により圧縮機の周波数を設定し、また、室内温度の定温性が維持されるように、室外ファンの速度を所定の動作状態に設定するが、この場合の室外ファンは、図４に示すように、上記の設定された圧縮機の周波数と検出された室内湿度との関数として回転速度が設定される。
【００１４】
以下、本発明に係る空気調和機の健康除湿運転方法について、詳しく説明する。
図３は、本発明に係る空気調和機の健康除湿運転方法のうちの除湿性の判断方法であって、圧縮機の周波数を設定する圧縮機の駆動アルゴリズムを示すフローチャートである。
ここで、圧縮機の駆動アルゴリズム（即ち、除湿性の判断方法）は、空気調和機１に取り付けられた室内湿度の検知センサ（図示せず）により室内湿度を検知し、この室内湿度と設定湿度（リモコン等のコントローラにより設定される湿度）とを比較してその湿度差を求めるステップと、この湿度差を求めるステップによって検知された室内湿度と設定湿度との湿度差と空気調和機１に予め設定された湿度差とを相互に比較して、検知された室内湿度と設定湿度との湿度差が、空気調和機に予め設定された湿度差のどの範囲にあるかを判断する相互比較判断するステップと、上記の相互比較判断ステップで比較判断された湿度差（設定湿度-室内湿度）に相応する圧縮機１１の周波数を設定するステップと、からなっている。
【００１５】
これを表１と対比して説明すると、次のとおりである。
表１は、圧縮機の駆動アルゴリズムによって、検知された室内湿度と設定湿度（リモコンなどのコントローラにより設定される湿度）との比較による湿度差に基づいて圧縮機１１の周波数が可変制御される状態を示すものであって、ΔＨは、設定湿度-室内湿度の湿度差であり、Ｆは、圧縮機の回転周波数である。
【００１６】
【表１】
2004233045.tif 000003
【００１７】
また、表１及び図３を参照して、室内湿度と設定湿度との比較による湿度差ΔＨ（設定湿度-室内湿度）に基づいて圧縮機１１の周波数を可変制御する圧縮機の駆動アルゴリズムを詳細にみると、次のとおりである。
まず、湿度差ΔＨが-６％以下であるとき、圧縮機の周波数を０（ＯＦＦ）に設定し、ΔＨが−５％以上〜１４％以下の範囲に属する場合は、圧縮機１１の最小の周波数（Ｆ  ｍｉｎ）に設定し、ΔＨが１５％以上〜２４％以下の範囲に属する場合は、圧縮機１１の上記の最小の周波数（Ｆ  ｍｉｎ）より１段階上がった圧縮機１１の周波数（Ｆ  ｍｉｎ＋１）に設定し、ΔＨが２５％以上の範囲に属する場合は、圧縮機１１の上記の周波数（Ｆ  ｍｉｎ＋１）より１段階上がった圧縮機１１の周波数（Ｆ  ｍｉｎ＋２）に設定する。
【００１８】
図４は、本発明に係る空気調和機の健康除湿運転方法のうちの定温性の判断即ち、室内温度が定温性を維持しているか否かの判断に基づいて室外ファンの回転速度を設定する室外ファンの駆動アルゴリズムを示すフローチャートである。
室外ファンの駆動アルゴリズムは、図２及び図４に示すように、圧縮機の駆動アルゴリズムに基づいて可変制御された圧縮機１１の周波数と空気調和機１に取り付けられた室内湿度の検知センサにより検知された室内湿度とを、予め定められたそれぞれの設定値と相互に比較して、圧縮機の周波数がその設定値のどれに該当し、また、検知された室内湿度がその設定値のどの範囲にあるかを判断する比較判断ステップと、この比較判断ステップで比較判断された上記の可変制御された圧縮機１１の周波数を用いて快適な領域の室内除湿が行われるように可変制御された圧縮機１１の周波数に比例して相応する室外ファン２２の回転速度を設定するステップと、からなっている。
【００１９】
これを表２と対比して説明すると、次のとおりである。
表２は、室外ファンの駆動アルゴリズムによって表１により設定された圧縮機１１の周波数と室内湿度に基づいて室外ファンの回転数が可変制御される状態を示すものである。
【００２０】
【表２】
2004233045.tif 000004
【００２１】
表２及び図４を参照して、表１により設定された圧縮機１１の周波数と室内湿度に基づいて室外ファンの回転数を可変制御する室外ファンの駆動アルゴリズムを詳細にみると、次のとおりである。
まず、室内湿度（Ｈ）が７５％以上で、表１により設定された圧縮機１１の周波数がＦ１であるとき、室外ファンの回転数を１００％とすることを基準にし、室内湿度が７５％以上であるとき、表１により設定された圧縮機の周波数がＦ２であると、室外ファンの回転数は９８％であり、圧縮機の周波数がＦ３であると、室外ファンの回転数は９６％であり、圧縮機の周波数がＦ４であると、室外ファンの回転数は９２％であり、圧縮機の周波数がＦ５であると、室外ファンの回転数は８６％である。
また、室内湿度が６５％以上〜７４％以下であるとき、表１により設定された圧縮機の周波数がＦ１であると、室外ファンの回転数は８５％であり、圧縮機の周波数がＦ２であると、室外ファンの回転数は８６％であり、圧縮機の周波数がＦ３であると、室外ファンの回転数は９０％であり、圧縮機の周波数がＦ４であると、室外ファンの回転数は８５％であり、圧縮機の周波数がＦ５であると、室外ファンの回転数は８０％である。
また、室内湿度が５５％以上〜６４％以下であるとき、表１により設定された圧縮機の周波数がＦ１であると、室外ファンの回転数は７０％であり、圧縮機の周波数がＦ２であると、室外ファンの回転数は７６％であり、圧縮機の周波数がＦ３であると、室外ファンの回転数は８１％であり、圧縮機の周波数がＦ４であると、室外ファンの回転数は７８％であり、圧縮機の周波数がＦ５であると、室外ファンの回転数は７５％である。
【００２２】
更に、室内湿度が４５％以上〜５４％以下であるとき、表１により設定された圧縮機の周波数がＦ１であると、室外ファンの回転数は５４％であり、圧縮機の周波数がＦ２であると、室外ファンの回転数は６３％であり、圧縮機の周波数がＦ３であると、室外ファンの回転数は７１％であり、圧縮機の周波数がＦ４であると、室外ファンの回転数は７１％であり、圧縮機の周波数がＦ５であると、室外ファンの回転数は７０％である。
また、室内湿度が４４％以下であるとき、表１により設定された圧縮機の周波数がＦ１であると、室外ファンの回転数は３９％であり、圧縮機の周波数がＦ２であると、室外ファンの回転数は５１％であり、圧縮機の周波数がＦ３であると、室外ファンの回転数は６３％であり、圧縮機の周波数がＦ４であると、室外ファンの回転数は６３％であり、圧縮機の周波数がＦ５であると、室外ファンの回転数は６３％であって、圧縮機の周波数と各々の湿度差段階に対して相応する別々の室外ファンの回転数が設定される。
【００２３】
このような、空気調和機の健康除湿運転を詳細に説明すると、次のとおりである。
ユーザが快適な室内環境を感じられる快適領域の状態の室内除湿を継続して保持できるようにするために、室内熱交換部３０の室内ファン３５の回転数を‘弱風’に設定し、検知された室内湿度と空気調和機１に設定された湿度差との比較判断、即ち、空気調和機１に取り付けられた室内湿度検知センサ（図示せず）により室内湿度を検知し、この検知した室内湿度と設定湿度（リモコン等のコントローラにより設定される湿度）とを比較してその湿度差を求め、圧縮機の駆動アルゴリズムによって上記の検知した室内湿度と設定湿度との湿度差と空気調和機１に設定された湿度差とを互いに比較判断し、上記の湿度差（設定湿度-室内湿度）に相応する圧縮機１１の周波数を設定する。
【００２４】
また、室内湿度と設定湿度との湿度差（設定湿度-室内湿度）に相応する圧縮機１１の周波数と室内温度とから快適領域の室内除湿が達成できるように、室内の温度を一定に、即ち、定温性が保持できるように室外ファンの駆動アルゴリズムを通じて室外ファン２２の回転速度を設定する。
そして、上記のように設定された所定の回転速度及び周波数で室外ファン２２及び室内ファン３５と圧縮機１１とを駆動することにより、ユーザが快適な室内環境を感じられる快適領域の状態の室内除湿が行なわれ、室内の湿度が快適範囲にあるか否かを継続して判断し、前記のプロセスを繰り返して行なうようになる。
【図面の簡単な説明】
【００２５】
【図１】従来の空気調和機を概略的に示す構造図である。
【図２】本発明の空気調和機の健康除湿運転方法を示すフローチャートである。
【図３】本発明に係る空気調和機の健康除湿運転方法のうちの除湿性の判断に基づき、圧縮機の周波数を設定するステップを示すフローチャートである。
【図４】本発明に係る空気調和機の健康除湿運転方法のうちの定温性の判断に基づき、室外ファンの回転速度を設定するステップを示すフローチャートである。
【符号の説明】
【００２６】
１…空気調和機
１１…圧縮機
２２…室外ファン
３５…室内ファン
【図１】
2004233045.tif 000005
【図２】
2004233045.tif 000006
【図３】
2004233045.tif 000007
【図４】
2004233045.tif 000008